(57)【要約】【課題】発信者が発信時に相手先の電話番号に余計な番号などを付加して入力した場合でも、リダイヤル機能を利用して再発信する際には、正確な電話番号を発信することができる電話装置及びその制御方法を提供する。【解決手段】リダイヤル機能を有する電話装置１０であって、入力された番号を記憶する記憶手段４０と、発信後、極性反転又はリングバックトーンが検出されるまでの間に入力された第１の番号を記憶手段４０に記憶させ、極性反転又はリングバックトーンが検出された後に入力された第２の番号を記憶手段４０に記憶させないように制御する制御手段３６と、を有する構成とした。【選択図】      図１
2006262272.tif 000002
【特許請求の範囲】
【請求項１】
リダイヤル機能を有する電話装置であって、
入力された番号を記憶する記憶手段と、
発信後、極性反転又はリングバックトーンが検出されるまでの間に入力された第１の番号を前記記憶手段に記憶させ、極性反転又はリングバックトーンが検出された後に入力された第２の番号を前記記憶手段に記憶させないように制御する制御手段と、
を有することを特徴とする電話装置。
【請求項２】
リダイヤル機能を有する電話装置であって、
入力された番号を記憶する記憶手段と、
第１の番号の入力開始後、入力された第１の番号の桁数に応じた時間が経過するまでの間に入力された第１の番号を前記記憶手段に記憶させ、入力された第１の番号の桁数に応じた時間が経過した後に入力された第２の番号を前記記憶手段に記憶させないように制御する制御手段と、
を有することを特徴とする電話装置。
【請求項３】
リダイヤル機能を有する電話装置の制御方法であって、
発信後、極性反転又はリングバックトーンが検出されるまでの間に入力された第１の番号を記憶手段に記憶させ、極性反転又はリングバックトーンが検出された後に入力された第２の番号を前記記憶手段に記憶させないように制御手段により制御されることを特徴とする電話装置の制御方法。
【請求項４】
リダイヤル機能を有する電話装置の制御方法であって、
第１の番号の入力開始後、入力された第１の番号の桁数に応じた時間が経過するまでの間に入力された第１の番号を記憶手段に記憶させ、入力された第１の番号の桁数に応じた時間が経過した後に入力された第２の番号を記憶手段に記憶させないように制御手段により制御されることを特徴とする電話装置の制御方法。
【発明の詳細な説明】
【技術分野】
【０００１】
本発明は、リダイヤル機能を有する電話装置及びその制御方法に関する。
【背景技術】
【０００２】
従来の電話装置では、発信者が電話装置で相手先の電話番号を入力した後、誤ってテンキーなどにより余計な番号などを入力した場合や、発信者が別の場所に置かれた電話装置の遠隔操作をしようとしてその電話装置の電話番号を入力した後、さらに暗証番号を入力した場合には、電話装置のＲＡＭに、電話番号に余計な番号などが付加された形で記憶されてしまうことがある。
【０００３】
なお、上記従来技術は公用の技術であり、本発明は公用の技術をもとに開発したものである。このため、出願人は、特許出願の時において本発明に関連する文献公知発明の存在を知らず、文献公知発明の名称その他の文献公知発明に関する情報の所在の記載を省略する。
【発明の開示】
【発明が解決しようとする課題】
【０００４】
ところで、電話装置のＲＡＭに、電話番号に余計な番号などが付加された形で記憶されてしまうと、その電話装置のリダイヤル機能を利用して再度発信する際に、電話番号に余計な番号などが付加されて発信されることになり、通信相手先の電話装置と通信可能な状態にならない不具合がある。
【０００５】
そこで、本発明は、上記事情を考慮し、発信者が発信時に相手先の電話番号に余計な番号などを付加して入力した場合でも、リダイヤル機能を利用して再発信する際には、正確な電話番号を発信することができる電話装置及びその制御方法を提供することを目的とする。
【課題を解決するための手段】
【０００６】
請求項１に記載の発明は、リダイヤル機能を有する電話装置であって、入力された番号を記憶する記憶手段と、発信後、極性反転又はリングバックトーンが検出されるまでの間に入力された第１の番号を前記記憶手段に記憶させ、極性反転又はリングバックトーンが検出された後に入力された第２の番号を前記記憶手段に記憶させないように制御する制御手段と、を有することを特徴とする。
【０００７】
請求項１に記載の発明によれば、発信後、極性反転又はリングバックトーンが検出されるまでの間に入力された第１の番号を記憶手段に記憶させ、極性反転又はリングバックトーンが検出された後に入力された第２の番号を記憶手段に記憶させないように制御手段により制御されるため、発信者が発信時に第１の番号に第２の番号などを付加して入力した場合でも、リダイヤル機能を利用して再発信する際には、第１の番号を発信することができる。
【０００８】
請求項２に記載の発明は、リダイヤル機能を有する電話装置であって、入力された番号を記憶する記憶手段と、第１の番号の入力開始後、入力された第１の番号の桁数に応じた時間が経過するまでの間に入力された第１の番号を前記記憶手段に記憶させ、入力された第１の番号の桁数に応じた時間が経過した後に入力された第２の番号を前記記憶手段に記憶させないように制御する制御手段と、を有することを特徴とする。
【０００９】
請求項２に記載の発明によれば、第１の番号の入力開始後、入力された第１の番号の桁数に応じた時間が経過するまでの間に入力された第１の番号を記憶手段に記憶させ、入力された第１の番号の桁数に応じた時間が経過した後に入力された第２の番号を記憶手段に記憶させないように制御手段により制御されるため、発信者が発信時に第１の番号に第２の番号などを付加して入力した場合でも、リダイヤル機能を利用して再発信する際には、第１の番号を発信することができる。
【００１０】
請求項３に記載の発明は、リダイヤル機能を有する電話装置の制御方法であって、発信後、極性反転又はリングバックトーンが検出されるまでの間に入力された第１の番号を記憶手段に記憶させ、極性反転又はリングバックトーンが検出された後に入力された第２の番号を前記記憶手段に記憶させないように制御手段により制御されることを特徴とする。
【００１１】
請求項３に記載の発明によれば、発信後、極性反転又はリングバックトーンが検出されるまでの間に入力された第１の番号を記憶手段に記憶させ、極性反転又はリングバックトーンが検出された後に入力された第２の番号を記憶手段に記憶させないように制御手段により制御されるため、発信者が発信時に第１の番号に第２の番号などを付加して入力した場合でも、リダイヤル機能を利用して再発信する際には、第１の番号を発信することができる。
【００１２】
請求項４に記載の発明は、リダイヤル機能を有する電話装置の制御方法であって、第１の番号の入力開始後、入力された第１の番号の桁数に応じた時間が経過するまでの間に入力された第１の番号を記憶手段に記憶させ、入力された第１の番号の桁数に応じた時間が経過した後に入力された第２の番号を記憶手段に記憶させないように制御手段により制御されることを特徴とする。
【００１３】
請求項４に記載の発明によれば、第１の番号の入力開始後、入力された第１の番号の桁数に応じた時間が経過するまでの間に入力された第１の番号を記憶手段に記憶させ、入力された第１の番号の桁数に応じた時間が経過した後に入力された第２の番号を記憶手段に記憶させないように制御手段により制御されるため、発信者が発信時に第１の番号に第２の番号などを付加して入力した場合でも、リダイヤル機能を利用して再発信する際には、第１の番号を発信することができる。
【発明の効果】
【００１４】
本発明によれば、発信者が発信時に相手先の電話番号に余計な番号などを付加して入力した場合でも、リダイヤル機能を利用して再発信する際には、正確な電話番号を発信することができる。
【発明を実施するための最良の形態】
【００１５】
次に、本発明の第１実施形態に係る電話装置について、図面を参照して説明する。なお、本実施形態の電話装置では有線により通信を行う有線電話装置について説明するが、本発明は、この種の電話装置に限られることはなく、無線により通信を行う無線電話装置（例えば、親機と子機からなるコードレス電話装置）にも適用することができるものである。
【００１６】
図１に示すように、電話装置１０は、電話回線６２に接続された極性反転回路５６を備えている。なお、この極性反転検出回路５６には、後述の制御回路３６が接続されている。この極性反転回路５６は、電話回線６２の極性反転検出を実行する。このため、通信相手先の電話装置が応答すると極性反転回路５６から所定の信号が後述の制御回路３６に出力される。これにより、制御回路３６は、極性反転の有無を判断することができる。
【００１７】
また、回線６２には、交換機側が選択信号として認識し相手先呼び出し中に発信側に呼び出し中であることを報知するための報知音を検出するリングバックトーン検出回路５８が接続されている。なお、このリングバックトーン検出回路５８により報知音が検出されると、リングバックトーン検出回路５８から所定の信号が後述の制御回路３６に出力される。これにより、制御回路３６は、リングバックトーン検出の有無を判断することができる。
【００１８】
また、リングバックトーン検出回路５８には、回線制御部１４が接続されている。この回線制御部１４は、電話回線６２の開放制御又は閉結制御を行う。なお、回線制御路１４には、後述の制御回路３６が接続されている。
【００１９】
また、回線制御部１４には、切替回路２２が接続されている。この切替回路２２には、増幅回路２４を介して第１スピーカ２６が接続されている。この第１スピーカ２６は、増幅回路２４で増幅された回線制御部１４の電気信号を音声に変換する。この第１スピーカ２６は、ユーザの耳にあてて通話に使用される。
【００２０】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されて回線制御部１４に出力される。
【００２１】
また、切替回路２２には、増幅回路３２を介して第２スピーカ３４が接続されている。この第２スピーカ３４は、増幅回路３２で増幅された回線制御部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２２】
この切替回路２２は、回線制御部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２３】
また、回線制御部１４及び切替回路２２には、制御回路（制御手段）３６がそれぞれ接続されている。この制御回路３６の制御により上述した切替回路２２による切り替えが行われる。また、制御回路３６により回線制御部１４が制御され、回線制御部１４により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６には、所定の時間をカウントするカウンタ６０が内蔵されている。
【００２４】
制御回路３６は、制御回路３６の動作に必要な所定の情報が記憶されているＲＡＭ４０と接続されている。ここで、ＲＡＭ４０には、後述のテンキー４８などにより入力された電話番号等が一時的に記憶される。
【００２５】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、後述の照明部４６からディスプレイ４２への照明を停止し電話装置１０が鳴動不可能な状態（電源オフの状態）にする電源キー６４と、を有している。
【００２６】
また、制御回路３６には、所定の色のＬＥＤ素子を備えた照明部４６が接続されている。照明部４６のＬＥＤ素子の発光により、ディスプレイ４２が所定の色に施される。
【００２７】
次に本実施形態に係る電話装置１０の動作について説明する。図２は本実施形態に係る電話装置１０の動作を示すフローチャートである。
【００２８】
図２に示すように、制御回路３６より電話番号（第１の番号）の入力があるか否かが判断される（ステップ１０）。制御回路３６より電話番号（第１の番号）の入力があるか否かが判断されると、入力された電話番号（第１の番号）がＲＡＭ４０に一時的に記憶される（ステップ１２）。そして、制御回路３６により発信の有無が判断される（ステップ１４）。制御回路３６により発信ありと判断されると、通信相手先の電話装置（図示省略）の着信音が鳴動し呼出される（ステップ１６）。次に、制御回路３６により極性反転の有無が判断される（ステップ１８）。ここで、通信相手先の電話装置が呼出しに対して応答すると、極性反転回路５６から所定の信号が制御回路３６に出力され、制御回路３６により極性反転ありと判断される。制御回路３６により極性反転ありと判断されると、テンキー４８などにより番号（第２の番号）が入力されたか否かが判断される（ステップ２０）。制御回路３６より番号（第２の番号）が入力されたと判断されると、入力された番号（第２の番号）がＲＡＭ４０に一時的に記憶されないように制御回路３６により制御される（ステップ２２）。これにより、ＲＡＭ４０には電話番号（第１の番号）のみが記憶されている。制御回路３６により回線が切断されているか否かが判断され（ステップ２４）、切断されていればそのまま終了し、切断されていなければステップ２４の直前に戻る。なお、ステップ２０において、制御回路３６より番号（第２の番号）が入力されていないと判断されると、ステップ２４の直前に移行する。
【００２９】
一方、ステップ１８において、制御回路３６により極性反転なしと判断されると、発信の停止の有無が判断され（ステップ２６）、発信停止であればそのまま終了し、発信停止でなければ、ステップ１６の直前に戻る。
【００３０】
以上のように、発信後、極性反転されるまでの間に入力された電話番号（第１の番号）をＲＡＭ４０に記憶させ、極性反転された後に入力された番号（第２の番号）をＲＡＭ４０に記憶させないように制御回路３６により制御されるため、発信者が発信時に電話番号（第１の番号）に別の番号（第２の番号）などを付加して入力した場合でも、リダイヤル機能を利用して再発信する際には、電話番号（第１の番号）を発信することができる。
【００３１】
ここで、上記実施形態では、極性反転の有無によりＲＡＭ４０に番号を記憶させるか否かを判断する構成を示したが、リングバックトーンの検出の有無によりＲＡＭ４０に番号を記憶させるか否かを判断するようにしてもよい。
【００３２】
この場合、図３に示すステップ１８において、制御回路３６によりリングバックトーンが検出されればステップ２０に移行し、リングバックトーンが検出されなければステップ２６に移行する。
【００３３】
特に、リングバックトーンの検出の有無により判断する場合では、極性反転の有無で判断する場合と比較して、早い段階でリングバックトーンの検出の有無を確認することができる。これにより、電話番号（第１の番号）のみを確実にＲＡＭ４０に記憶させることができ、リダイヤル機能により再発信する場合には電話番号（第１の番号）のみを確実に発信させることができる。
【００３４】
また、図１に示すように、制御回路３６にカウンタ６０を内蔵し、ＲＡＭ４０に電話番号の桁数と所定の時間との関係を示すテーブルを記憶させ、電話番号（第１の番号）の入力開始後、入力された電話番号（第１の番号）の桁数に応じた時間が経過するまでの間に入力された電話番号（第１の番号）をＲＡＭ４０に記憶させ、入力された電話番号（第１の番号）の桁数に応じた時間が経過した後に入力された番号（第２の番号）をＲＡＭ４０に記憶させないように制御回路３６により制御するようにしてもよい。
【００３５】
この場合、図４に示すステップ１８において、電話番号（第１の番号）の入力開始後、所定の時間が経過したか否かが制御回路３６により判断され、所定の時間が経過したと判断された場合にはステップ２０に移行し、所定の時間が経過していないと判断された場合にはステップ２６に移行する。
【００３６】
以上のように、電話番号（第１の番号）の入力開始後、入力された電話番号（第１の番号）の桁数に応じた時間が経過するまでの間に入力された電話番号（第１の番号）をＲＡＭ４０に記憶させ、入力された電話番号（第１の番号）の桁数に応じた時間が経過した後に入力された別の番号（第２の番号）をＲＡＭ４０に記憶させないように制御回路３６により制御されるため、発信者が発信時に電話番号（第１の番号）に別の番号（第２の番号）などを付加して入力した場合でも、リダイヤル機能を利用して再発信する際には、電話番号（第１の番号）を発信することができる。
【図面の簡単な説明】
【００３７】
【図１】本発明の一実施形態に係る電話装置のブロック図である。
【図２】本発明の一実施形態に係る電話装置の動作を示すフローチャートである。
【図３】本発明の一実施形態に係る電話装置の動作の変形例を示すフローチャートである。
【図４】本発明の一実施形態に係る電話装置の動作の変形例を示すフローチャートである。
【符号の説明】
【００３８】
１０      電話装置
３６      制御回路（制御手段）
４０      ＲＡＭ（記憶手段）
【図１】
2006262272.tif 000003
【図２】
2006262272.tif 000004
【図３】
2006262272.tif 000005
【図４】
2006262272.tif 000006